(57)【要約】【課題】ＡＣアダプタの出力ケーブルの形状により、引き出し方向がストレート或いはライトアングルに固定されるが、一つの出力ケーブルで任意に選択できるように解決する。【解決手段】ケース側面に出力ケーブルを貫通させて固定させる突起部を設け、突起部には、ケース側面に対して直交方向並びに並行方向に設けられた貫通孔を設け、出力ケーブルのブッシングは、出力ケーブルの軸方向に対して並行に前記貫通孔を隠すための凸部を備える。【選択図】図１
0003155816.tif 000002
【実用新案登録請求の範囲】
【請求項１】
ＡＣ電源を入力して絶縁されたＤＣ電力を出力する電源を内蔵するＡＣアダプタのケースと、前記ケースは絶縁する機能を備え、
前記ＡＣアダプタは前記ＤＣ電力を出力する出力ケーブルを備え、
前記出力ケーブルには、出力ケーブルをケースに固定のためのブッシングを備え、
前記ケース側面には、前記出力ケーブルを貫通させるための貫通孔が設けられ、
前記出力ケーブルは、前記貫通孔から引出され、前記ブッシングが前記貫通孔と嵌合することでケースに固定され、
前記ケース側面には突起部が設けられ、
前記突起部には、前記出力ケーブルが引出される貫通孔が、前記ケース側面に対して直交方向並びに並行方向に設けられ、
前記ブッシングは、ケーブルの軸方向に対して並行に前記貫通孔を隠すための凸部を備えた、
ことを特徴とするＡＣアダプタの出力ケーブルとケースの構造。
【考案の詳細な説明】
【技術分野】
【０００１】
本考案は、ＡＣアダプタに関し、そのＡＣアダプタケースから引き出される出力ケーブルとケースの引出し構造に関する。
【背景技術】
【０００２】
従来のＡＣアダプタは、ケースの側面に出力ケーブルが外部に引き出される貫通孔が設けられ、この貫通孔で出力ケーブルのブッシングが保持される。このブッシングは、例えば可撓性の材質で蛇腹構造を有してコードの破損などに対する保護やケースに対する絶縁を行うものであり、先端部が前記ケースの貫通孔に直接保持される直線形状のストレートブッシングやＬ字形状のライトアングルブッシングが知られている。
この従来技術として、例えば、特許文献１〜３が知られている。
【先行技術文献】
【特許文献】
【０００３】
【特許文献１】特開平１１‐２５１０１８号公報
【特許文献２】特開２００４‐３０３５２４号公報
【特許文献３】特開２０００‐２７７９４３号公報
【考案の開示】
【考案が解決しようとする課題】
【０００４】
先行技術１では、ＡＣアダプタのＤＣコードの屈曲ストレスを低減するために、アダプタケース１０の側面沿うようにＤＣコードのブッシュ部をＬ字型形状にしている。
先行技術２では、ＡＣアダプタのＤＣコードの屈曲ストレスを低減するために、アダプタケース５の側面に凸形状の側面カバー７を設けている。
さらに、この側面カバー７からアダプタケース５の側面と並行となるようにコードＣを引き出せる貫通孔８を設けて、コードＣのストレートブッシング10を固定している。即ち、コードＣはアダプタケース５の側面と並行に引き出され、Ｌ字型ブッシングを使用したのと同じ方向に引き出せて、かつコードの屈曲ストレスの低減を実現している。
先行技術３では、ＡＣアダプタのリード線３の屈曲ストレスを低減するために、アダプタケース表面１Ａに対して直角よりも大きな角度に傾斜させた傾斜面５Ａを設け、この傾斜面５Ａに開口部を設けてリード線３とゴムブッシュ２を貫通させて、リード線の屈曲方向を緩やかに湾曲させている。先行技術３も先行技術２と同様にアダプタケースの側面と並行となるようにリード線３を引き出している。
【０００５】
先行技術ではアダプタケース側面と垂直或いは並行になるような個別の出力ケーブル固定方法が開示されているが、顧客により、アダプタケース側面と垂直（ストレート方向）に出力ケーブルの引き出す仕様が存在する。従って、先行技術で開示された構造では、全ての顧客の要求に応じることができず、各々の仕様に合せた専用の出力ケーブル乃至ケースが必要となり、また、設計と金型が必要であり、時間及び費用が負担である。
ここで、本発明は、出力ケーブルの引き出す方向を、ケース側面と並行又は垂直に、どちらかの引出し方向へ任意に固定できる出力ケーブルとケースの構造を提案する。
【課題を解決するための手段】
【０００６】
上記目的を達成するために、本考案は、
ＡＣ電源を入力して絶縁されたＤＣ電力を出力する電源を内蔵するＡＣアダプタのケースと、前記ケースは絶縁する機能を備え、
前記ＡＣアダプタは前記ＤＣ電力を出力する出力ケーブルを備え、
前記出力ケーブルには、出力ケーブルをケースに固定のためのブッシングを備え、
前記ケース側面には、前記出力ケーブルを貫通させるための貫通孔が設けられ、
前記出力ケーブルは、前記貫通孔から引出され、前記ブッシングが前記貫通孔と嵌合することでケースに固定され、
前記ケース側面には突起部が設けられ、
前記突起部には、前記出力ケーブルが引出される貫通孔が、前記ケース側面に対して直交方向並びに並行方向に設けられ、
前記ブッシングは、ケーブルの軸方向に対して並行に前記貫通孔を隠すための凸部を備えたことにより問題を解決している。
【考案の効果】
【０００７】
上述のように、本考案は、出力ケーブルの引き出し方向を、ケース側面に対して直交方向（ストレートタイプ）又は平行方向（ライトアングルタイプ）のいずれかに設定することができる。従って、出力ケーブルの引出方向に関わらず、ＡＣアダプタのケースと出力ケーブルを共通化することが可能になる。
【図面の簡単な説明】
【０００８】
【図１】本考案のＡＣアダプタの出力ケーブルとケースの構造の一実施例を示す図である。
【図２】本ケースの突起部の詳細を示す図である。
【図３】本出力ケーブルの詳細を示す図である。
【考案を実施するための最良の形態】
【０００９】
以下、本考案のＡＣアダプタの出力ケーブルとケースの最も好ましい実施の形態について、図面を用いて具体的に説明する。
【実施例】
【００１０】
図1は、本考案の第一実施形態に係わるＡＣアダプタの出力ケーブルとケースの構成を示す図である。図１（ａ）は、ケースの側面に対して平行方向に出力ケーブルが引出される形態を示し、図１（ｂ）では、ケース側面に対して直交方向に出力ケーブルが引出される形態を示す。
本考案では、ＡＣアダプタのケース側面に突起部を設け、突起部にはケース側面と直交、ケース側面に対して平行となる方向にＤＣ出力ケーブルの引出し口である貫通孔を設ける。
また、出力ケーブルを突起部の貫通孔に固定するためのブッシングは、その形状を、突起部の貫通孔に対して直交及び並行方向へ設置できる形状にする。かつ、直交又は平行方向へ出力ケーブルのブッシング部分を設置したとき、設置方向と異なる直角方向の突起部の貫通孔に、出力ケーブルの引出し方向と直角方向にあるブッシングにある突起部で貫通孔を目隠しする。
【００１１】
次に、本考案のケースと、出力ケーブルのブッシングの形状について詳細に説明する。
図２に本考案のケース１の突起部２周辺の詳細を示し、図３に出力ケーブルのブッシング４の詳細を示す。なお、図２に示すケース１は、説明のためにケースの下側部分の図面を示したものであり、図示しない対となる上側部分のケースとによりＡＣアダプタのケースを構成するものである。
図２に示すように、ケース１に出力ケーブルのブッシング４を嵌めこむ突起部２を設け、突起部２の正面１０および側面２０に出力ケーブルの貫通孔１１、２１と貫通孔の外周に嵌めこみ溝１２、２２を設ける。この嵌めこみ溝は正面、側面ともに同じ寸法かつ同じ形状である。
図３に示すように、出力ケーブルにＬ字形状のブッシング４を設ける。Ｌ字形状ブッシング４の一方にはケーブルの屈曲保護を目的とした引出し口５０、他方の出力ケーブルと並行となる側面４０にはケースに嵌めこんだ際の目隠しをするための凸部４１を設ける。
凸部４１の面積は、前述の突起部２の貫通孔１１又は２１の面積と同じで、凸部４１の厚みは、前述の突起部２の嵌めこみ溝の厚みと同じ寸法である。v
このケースと出力ケーブルのブッシングとの嵌め合わせにおいて、
ケースの突起部２側面２０に、ブッシング４の正面３０を嵌めこむ事でライトアングルタイプである図１（ａ）となる。
また、ケースの突起部２正面１０に、ブッシング４の正面３０を嵌めこむ事でストレートタイプである図１（ｂ）となる。
それぞれのケース溝の片側は、出力ケーブルのブッシング側面４０にある凸部４１にて塞がれ、視覚上、目隠しされる。
【００１２】
本考案の一実施例は上述の如き構成からなるものであるから、出力ケーブルの引出す方向をストレートタイプ或いはライトアングルタイプに、任意に設定することが可能となる。
【符号の説明】
【００１３】
１  ケース
２  ケースの突起部
３  出力ケーブル
４  ブッシング
１０  ケースの突起部正面
１１  貫通孔（突起部のケース取付面と正面）
１２  嵌め込み溝（突起部のケース取付面と正面）
２０  ケースの突起部の側面
２１  貫通孔（突起部の側面）
２２  嵌め込み溝（突起部の側面）
３０  ブッシング正面
３１  嵌め込み溝（ブッシング正面）
４０  ブッシング側面
４１  凸部（ブッシング側面）
５０  ブッシング引出口
【図１】
0003155816.tif 000003
【図２】
0003155816.tif 000004
【図３】
0003155816.tif 000005